(57)【要約】      （修正有）【課題】スクリーンの画像を設定位置に容易に位置づけることができるスクリーン設置装置を提供する。【解決手段】ファブリック（スクリーン）３００をフレーム１００に固定するファブリック固定部は、密着部材５００を備えて構成される。密着部材５００は、収容空間１７０に折り畳まれて実装され、お互いに対向し収容空間１７０の深さ方向に並ぶ複数の密着片５１０がファブリック３００を堅固に密着して離脱を防ぐように挟持する。密着片５１０は、内側、かつ収容空間１７０の深さ方向に傾斜する姿勢である。密着片５１０間へのファブリック３００の差し込みは容易であるが、密着片５１０からファブリック３００が抜けるのは規制される。密着部材５００では、収容空間１７０のガイドレール１７５にガイド突起５３０が差し込まれて固定される。【選択図】図２
0003226256.tif 000002
【実用新案登録請求の範囲】
【請求項１】
柔軟性を有するスクリーンが張り渡される枠状の額縁フレーム体を備え、
前記額縁フレーム体には、前記スクリーンの端縁部が入り込む規制溝があり、前記規制溝内には、前記端縁部が前記規制溝から抜けるのを規制する規制体が設けられ、
前記規制体は、
断面視Ｕ字状であり、前記規制溝の幅方向一方側に位置する第１腕部、および前記規制溝の幅方向他方側に位置する第２腕部を備え、可撓性を有する規制体本体と、
前記第１腕部から前記規制溝の幅方向中央側へ突出する第１突出片と、
前記第２腕部から前記規制溝の幅方向中央側へ突出し、前記第１突出片との間を通る前記端縁部が前記規制溝から抜けるのを前記第１突出片と共に規制する第２突出片と、
を備えるスクリーン設置装置。
【請求項２】
請求項１に記載のスクリーン設置装置において、
前記第１突出片は、複数あり、前記規制溝の深さ方向に沿って並び、前記端縁部が前記第２突出片との間を通っている状態において前記規制溝の奥側に向かって傾斜し、
前記第２突出片は、複数あり、前記規制溝の深さ方向に沿って並び、前記端縁部が前記第１突出片との間を通っている状態において前記規制溝の奥側に向かって傾斜するスクリーン設置装置。
【請求項３】
請求項１または請求項２に記載のスクリーン設置装置において、
前記額縁フレーム体は、平面視直線状のフレームの長手方向の端部間が接続することで平面視多角形の枠状に形成され、
前記フレームにおいて、厚み方向における前記スクリーンが張り渡される一方側には前記規制溝が平面視直線状に形成され、前記フレームの他方側には、平面視直線状に形成される差込溝が開口し、前記差込溝は、前記フレームの前記長手方向の両端に開口し、
角度をつけて互いに接続する平面視直線状の第１片、第２片を備える接続ブロックであって、隣り合う前記各フレームの一方の前記差込溝に前記第１片が差し込まれ、隣り合う前記各フレームの他方の前記差込溝に前記第２片が差し込まれ、前記差込溝の壁面に固定されることで、隣り合う前記各フレーム間を接続する接続ブロックを複数備え、
前記接続ブロックは、前記スクリーン設置装置の設置対象体の固定ブロックに磁力により吸着するスクリーン設置装置。
【請求項４】
請求項３に記載のスクリーン設置装置において、
前記接続ブロックは、前記フレームの厚み方向において前記他方側に位置する板状の第１接続ブロックと、前記フレームの厚み方向において前記一方側に位置し、前記第１接続ブロックと重ねられる第２接続ブロックとを備え、
前記差込溝の対向する両内壁からは、前記第１接続ブロックおよび前記第２接続ブロックをガイドし、前記第１接続ブロックの幅方向両端を支持するガイド突起が突出し、
前記第１接続ブロックにねじ込まれるねじにより、前記第２接続ブロックが前記差込溝の底面に押し付けられるとともに、前記第１接続ブロックが前記ガイド突起に押し付けられることにより、前記接続ブロックが前記差込溝の壁面に固定され、
前記固定ブロックは磁石を有し、前記接続ブロックは磁性体であり、
前記固定ブロックは、前記フレームの厚み方向における前記他方側から前記差込溝に挿入され、前記ガイド突起間を介して前記接続ブロックに接触し、吸着するスクリーン設置装置。
【考案の詳細な説明】
【技術分野】
【０００１】
本考案は、スクリーン設置装置に関する。
【背景技術】
【０００２】
一般的に、ライトパネル等のスクリーン設置装置が知られる（例えば特許文献１）。スクリーン設置装置は、広告施設物、会社名板、ロゴなどの展示対象体であって額縁フレーム体に組み付けられた展示対象体へ光を照射することで、展示対象体を際立たせ、対外的な広告効果やイメージの識別性を高めるものである。スクリーン設置装置では、最近になって美麗さを極大化しようと、画像が描かれたスクリーンを額縁フレーム体に被せて固定したものが使われている。スクリーンは、薄く柔軟性および伸縮性を有するものが使用され、額縁フレーム体に密着した状態で被せられる。スクリーンが張られたスクリーン設置装置は、境界線や溶接部が現れないために滑らかな外観を演出でき、また、優れた表示性、生産性、軽量性を有する。スクリーンとして、近年脚光を浴びているファブリック素材やシート紙、フィルム紙など、多様な素材の選択が可能である。
【先行技術文献】
【特許文献】
【０００３】
【特許文献１】実用新案登録第３１７２８２９号
【考案の概要】
【考案が解決しようとする課題】
【０００４】
従来、額縁フレーム体には、スクリーンの端縁部がねじ止めされるため、スクリーンの画像を設定位置に正確に位置づけるために、スクリーンのサイズに対する正確性の要求が高かった。
【０００５】
本考案の目的は、スクリーンの画像を設定位置に容易に位置づけることができるスクリーン設置装置を提供することである。
【課題を解決するための手段】
【０００６】
実施形態の要旨は、図１−図１２を参考に以下のとおりである。
[１]   柔軟性を有するスクリーン３００が張り渡される枠状の額縁フレーム体を備え、
前記額縁フレーム体には、前記スクリーン３００の端縁部が入り込む規制溝１７０があり、前記規制溝１７０内には、前記端縁部が前記規制溝１７０から抜けるのを規制する規制体５００が設けられ、
前記規制体５００は、
断面視Ｕ字状であり、前記規制溝１７０の幅方向（図２の左右方向）一方側に位置する第１腕部、および前記規制溝１７０の幅方向他方側に位置する第２腕部を備え、可撓性を有する規制体本体と、
前記第１腕部から前記規制溝１７０の幅方向中央側へ突出する第１突出片５１０と、
前記第２腕部から前記規制溝１７０の幅方向中央側へ突出し、前記第１突出片５１０との間を通る前記端縁部が前記規制溝１７０から抜けるのを前記第１突出片５１０と共に規制する第２突出片５１０と、
を備えるスクリーン設置装置Ａ。
［２］  [１]に記載のスクリーン設置装置Ａにおいて、
前記第１突出片５１０は、複数あり、前記規制溝１７０の深さ方向（図２の上下方向）に沿って並び、前記端縁部が前記第２突出片５１０との間を通っている状態において前記規制溝１７０の奥側（図２の下側）に向かって傾斜し、
前記第２突出片５１０は、複数あり、前記規制溝１７０の深さ方向に沿って並び、前記端縁部が前記第１突出片５１０との間を通っている状態において前記規制溝１７０の奥側に向かって傾斜するスクリーン設置装置Ａ。
［３］  [１]または［２］に記載のスクリーン設置装置Ａにおいて、
前記額縁フレーム体は、平面視直線状のフレーム１００の長手方向の端部間が接続することで平面視多角形の枠状に形成され、
前記フレーム１００において、厚み方向（図３の上下方向）における前記スクリーン３００が張り渡される一方側（図３の上側）には前記規制溝１７０が平面視直線状に形成され（図３参照）、前記フレーム１００の他方側（図３の下側）には、平面視直線状に形成される差込溝が開口し、前記差込溝は、前記フレーム１００の前記長手方向の両端に開口し（図３参照）、
角度をつけて互いに接続する平面視直線状の第１片、第２片を備える接続ブロック４１０，４３０であって、隣り合う前記各フレーム１００の一方の前記差込溝に前記第１片が差し込まれ、隣り合う前記各フレーム１００の他方の前記差込溝に前記第２片が差し込まれ、前記差込溝の壁面に固定されることで、隣り合う前記各フレーム１００間を接続する接続ブロック４１０，４３０を複数備え、
前記接続ブロック４１０，４３０は、前記スクリーン設置装置Ａの設置対象体Ｗの固定ブロック９５０に磁力により吸着するスクリーン設置装置Ａ。
［４］  ［３］に記載のスクリーン設置装置Ａにおいて、
前記接続ブロック４１０，４３０は、前記フレームの１００厚み方向において前記他方側（図５の下側）に位置する板状の第１接続ブロック４１０と、前記フレーム１００の厚み方向において前記一方側（図５の上側）に位置し、前記第１接続ブロック４１０と重ねられる第２接続ブロック４３０とを備え、
前記差込溝の対向する両内壁からは、前記第１接続ブロック４１０および前記第２接続ブロック４３０をガイドし、前記第１接続ブロック４１０の幅方向両端を支持するガイド突起１３１が突出し、
前記第１接続ブロック４１０にねじ込まれるねじ４１１により、前記第２接続ブロック４３０が前記差込溝の底面（図５の差し込み溝の上側の面）に押し付けられるとともに、前記第１接続ブロック４１０が前記ガイド突起１３１に押し付けられることにより、前記接続ブロック４１０，４３０が前記差込溝の壁面に固定され、
前記固定ブロック９５０は磁石４１５を有し、前記接続ブロック４１０，４３０は磁性体であり、
前記固定ブロック９５０は、前記フレーム１００の厚み方向における前記他方側（図５の下側）から前記差込溝に挿入され、前記ガイド突起１３１間を介して前記接続ブロック４１０，４３０に接触し、吸着するスクリーン設置装置Ａ。
【０００７】
実施形態の要旨は、さらに以下のとおりである。
一定長に切断され直線又は一定角を持つコーナに連結するように設置されながら、ファブリック固定部を持つ複数のフレームが相互に繋がれる構成であり、上記フレームのファブリック固定部には固定手段を通じて布やフィルムなどからなるファブリックが組み付けられ、
上記フレームの片面には突起を持つ固定ブラケットが一体に設置され、ピンが結合される第１密着ブロックと上記第１密着ブロックに対応される第２密着ブロックが共に挿入され、
上記第１、第２密着ブロックは、上記フレームの直線またはコーナに対応する直線又は傾斜を持つように設置され、固定ボルトの回転によって固定ブラケットの内側や突起にそれぞれ密着力が作用するように設置されるファブリック広告用フレーム組立体を提供する。
【０００８】
さらに、実施形態の第１、第２密着ブロックは、固定ブラケットや突起に対応するように少なくとも一方の面に凹凸が一体で形成されるファブリック広告用フレーム組立体を提供する。
【０００９】
そして、実施形態のフレームは、固定手段の収容空間に少なくとも一つ以上の支持ジョーが一体で突出し、上記収容空間には相互に対応する密着片をもつ密着部材が固定され、上記フレームの後方にはスライディングホールが備えられ、複数のＬＥＤチップを持つ照明プレートが取り付けられる。
【００１０】
上記第１、第２密着ブロックは、上記フレームの直線またはコーナに対応する直線又は傾斜を持つように設置され、固定ボルトの回転によって固定ブラケットの内側や突起にそれぞれ密着力が作用するように設置されるファブリック広告用フレーム組立体を提供する。
【００１１】
さらに、実施形態の第１、第２密着ブロックは、固定ブラケットや突起に対応する少なくとも一方の面に凹凸が一体で形成されるファブリック広告用フレーム組立体を提供する。
【００１２】
そして、実施形態のフレームは固定手段の収容空間に少なくとも一つ以上の支持ジョーが一体で突出し、上記収容空間には相互に対応する密着片を持つ密着部材が固定され、上記フレームの後方にはスライディングホールが備えられ、複数のＬＥＤチップを持つ照明プレートが装着されるファブリック広告用フレーム組立体を提供する。
【００１３】
加えて、実施形態のフレームは収容空間の外側にカバー部材がより密着し、上記カバー部材は装着時に外部に露出しながらフレームと同一平面を形成する支持面と、少なくとも一つ以上の支持ジョーを具備するファブリック広告用フレーム組立体を提供する。
【００１４】
そして、上記第１密着ブロックは、片側に磁石が一体で具備されるファブリック広告用フレーム組立体を提供する。
【００１５】
また、実施形態の固定ブラケットは、金属材からなり、壁面にピンで固定されながら磁石を持つ固定ブロックが密着するように設置されるファブリック広告用フレーム組立体を提供する。
【００１６】
一方、ファブリック広告用フレーム組立体の装着方法では、一定長に切断され、直線又は一定角を持つコーナに連結するように設置され、ファブリック固定部を持つ複数のアルミニウム製フレームが相互に繋がる構成であり、上記フレームのファブリック固定部には固定手段を通じて布やフィルムなどで構成されたファブリックが緊張状態で組み付けられる。
【００１７】
上記の各フレームには磁性体からなる密着ブロックが挿入された後、密着して離脱を防止するように突起を持つ固定ブラケットが一体として備えられ、上記密着ブロックの支持される固定ブラケットの片面と付着物に結合される固定ブロックの間には磁力による接合力が発生するように密着ブロックおよび／または固定ブロックに永久磁石が一体で備わる。上記密着ブロックに突出部が形成され凹部を持つ固定ブロックに付着されたり、固定ブロックに突出部が形成され固定ブラケットの凹部に付着されたりすることで付着物に結合される固定ブロックを中心にフレームの下降を防止するファブリック広告用フレーム組立体の装着方法を提供する。
【考案の効果】
【００１８】
本考案のスクリーン設置装置では、額縁フレーム体の規制溝にスクリーンの端縁部を差し込むことで、スクリーンの端縁部の引き抜きが規制体により規制され、該端縁部を額縁フレーム体に固定できる。スクリーンを強く引くことで、スクリーンを規制体から引き抜くことができる。従って、本考案では、スクリーンの端縁部を容易に固定できるとともに、端縁部の固定を簡単にやり直すことができるため、スクリーンの画像を額縁フレーム体の設定位置に容易に位置づけることができる。また、本考案では、スクリーンの端縁部の止め代が大きいため、スクリーンのサイズに対する正確性の要求が従来よりも高くないという利点もある。
【図面の簡単な説明】
【００１９】
【図１】額縁フレーム体を図示した斜視図である。
【図２】額縁フレーム体を図示した腰部分解斜視図である。
【図３】フレームの結合状態を図示した分解図である。
【図４】額縁フレーム体のファブリック結合状態図である。
【図５】額縁フレーム体の壁面固定状態図である。
【図６】他の実施例によるフレームを図示した分解斜視図である。
【図７】他の実施例によるフレームを図示し、壁面固定状態を示す断面図である。
【図８】もう一つの実施例によるフレームの組み立て状態図である。
【図９】もう一つの実施例によるフレームの組み立て状態図である。
【図１０】もう一つの実施例によるフレームの設置状態図である。
【図１１】接続ブロックと固定ブロックの各組み合わせの態様を示す側面図である。
【図１２】壁に対してねじ止めされるタイプのスクリーン設置装置を示す斜視図である。
【考案を実施するための形態】
【００２０】
以下、添付図面に基づき、本考案の実施形態を詳細に説明すると次のようになる。
実施形態のフレーム組立体Ａ（スクリーン設置装置）は、ファブリック固定部１１０を持つフレーム１００が複数互いに連結される構成である。フレーム１００は、一定長で切断され、隣接するフレーム１００に対し、端部にて直線状、又は傾斜状に連結するように設置される。ファブリック固定部１１０は、密着部材５００（規制体）と収容空間１７０とを備える。
【００２１】
そして、上記フレーム１００は組み立てられて額縁形状を成すように設置され、フレーム１００のファブリック固定部１１０には、布やファイルム等であるファブリック３００（スクリーン）が密着部材５００（換言すると固定手段）を通じて実装される。
【００２２】
また、上記フレーム１００の片面には、突起１３１（図５：ガイド突起）を持つ固定ブラケット１３０（図６）が一体に設置され、ねじであるピン４１１（図３）が結合される第１密着ブロック４１０（第１接続ブロック）と上記第１密着ブロック４１０に重ねられる第２密着ブロック４３０（第２接続ブロック）が共に、例えば同時に、長手方向の端から挿入される。
【００２３】
この時、上記第１、第２密着ブロック４１０，４３０は、上記隣接するフレーム１００の端部の接続態様である直線状又は傾斜状に対応する直線状または傾斜状の形態をもつように設置され、ピン４１１の回転によって固定ブラケット１３０の内側や突起１３１にそれぞれ密着力が作用するように設置される。
【００２４】
さらに、上記第１、第２密着ブロック４１０，４３０は、固定ブラケット１３０や突起１３１に対応するように少なくとも一方の面に凹凸４２１が一体で形成されていてもよい。
【００２５】
そして、上記フレーム１００は、密着部材５００の収容空間１７０（規制溝）に少なくとも一つ以上の支持ジョー１７１（図２）が一体で突き出していてもよい。
【００２６】
加えて、上記の収容空間１７０の側面、換言すると規制溝としての収容空間１７０の深さ方向は、ファブリック３００の張り渡される平面方向に対して垂直方向、または傾斜方向（図６）であってもよく、傾斜方向の場合、装着されたファブリック３００に対する収容空間１７０の投影長が短いほうがよい。
【００２７】
この時、上記の収容空間１７０には、密着部材５００（規制体）が固定される。収容空間１７０の両側壁の開口端側は、内側にコ字状に折り返され、ガイドレール１７５となっている。上記密着部材５００は、収容空間１７０のガイドレール１７５にガイド突起５３０を通じてスライディング固定するように設置される。すなわち、Ｕ字状の密着部材５００は、フレーム１００の長手方向の端から収容空間１７０に挿入され、収容空間１７０内へ押し込まれるところ、両端部がガイドレール１７５に通されることにより、収容空間１７０の開口溝から抜けないようになっている。密着部材５００は、密着片５１０（第１突出片、第２突出片）を持ち、密着片５１０は、密着部材５００がＵ字状に折り畳まれて実装される際に、対向し、ファブリック３００を挟み、抜け止めする。
【００２８】
さらに、上記フレーム１００の後方（図３紙面奥側）には、溝部であるスライディングホール１９０が具備され、複数のＬＥＤチップ６１０を持つ照明プレート６００が差し込まれて装着される。加えて、上記フレーム１００では、収容空間１７０の外側にカバー部材８００（図２）が密着し、収容空間１７０の開口溝を埋めてもよい。
【００２９】
この時、上記カバー部材８００は、装着時に外部に露出してフレーム１００と同一平面を形成する支持面８１０（図５）と、少なくとも一つの担持ジョー８３０（図４、図５）を具備する。
【００３０】
そして、上記第１密着ブロック４１０は、片側に又は内側に磁石４５１（図９）が一体で具備されてもよい。
【００３１】
また、上記固定ブラケット１３０に装着される第１密着ブロック４１０には、固定ブロック９５０が密着するように設置されてもよい。固定ブロック９５０は、壁面にネジであるピン９５１（図５）で固定され、磁石４１５（図５）を持つ。
【００３２】
さらに、図１０の通り、本実施形態の固定ブロック９５０は、ケーブル帯９５７方式または台紙９５５を持つ接着剤方式で壁面や壁のパイプ等の付着物に固定され、フレーム１００の固定作業が可能になるように設置されてもよい。
【００３３】
上記のような構成からなる本実施形態の動作を説明する。
図１や図１０で説明したとおり、本実施形態のフレーム組立体Ａでは、フレーム１００を一定長で切断して直線状に連結することで、一辺を好きな長さへ調節することが可能になり、フレーム１００の端部間を角度をつけて繋げることで、四角形状や五角形状などの多角形状の広告用額縁形状を持つようになる。
【００３４】
この場合、上記フレーム組立体Ａは、各フレーム１００にファブリック固定部１１０が前方（図１〜図４の紙面手前側）を向くように設置されて密着部材５００を通じて布やフィルムなどで構成されたファブリック３００が組み付けられた場合、上記ファブリック３００に印刷される文字や絵を通じて広告効果を発揮できるように構成されている。
【００３５】
そして、上記フレーム組立体Ａは、フレーム１００の後方（図１〜図４の紙面奥側）に形成されるスライディングホール１９０を通じて、複数のＬＥＤチップ６１０を持つ照明プレート６００が取り付けられる場合、上記の照明がファブリック３００に印刷される文字や絵を照らし、夜昼を問わず広告効果をさらに高める。
【００３６】
また、上記ファブリック３００をフレーム１００に固定するファブリック固定部１１０は、密着部材５００を備えて構成される。上記密着部材５００は、収容空間１７０に折り畳まれて実装される場合は、お互いに対向し収容空間１７０の深さ方向に並ぶ複数の密着片５１０がファブリック３００を堅固に密着して離脱を防ぐように挟持する。
【００３７】
その場合、上記密着片５１０は、内側、かつ収容空間１７０の深さ方向に傾斜する姿勢である。板状の治具（図４）を利用して密着片５１０間へのファブリック３００の差し込みは容易であるが、密着片５１０からファブリック３００が抜けるのは規制される。
【００３８】
そして、上記密着部材５００では、収容空間１７０のガイドレール１７５（図３）にガイド突起５３０が差し込まれて固定される。
【００３９】
また、上記フレーム１００の片面には、突起１３１（図７）を持つ固定ブラケット１３０が一体に設置され、ピン４１１がねじ込まれる第１密着ブロック４１０と上記第１密着ブロック４１０に重ねられる第２密着ブロック４３０が共に挿入される場合、ピン４１１がねじ込まれて回転することによって、固定ブラケット１３０の内側や突起１３１にそれぞれ密着力、摩擦力が作用し、フレーム１００の堅固な連結が可能となる。
【００４０】
この場合、上記第１、第２密着ブロック４１０，４３０は、上記フレーム１００の端部の連結態様、直線状または傾斜状に対応する直線状または傾斜状の形態を有して設置され、ピン４１１がねじ込まれて回転することによって、固定ブラケット１３０の内側や突起１３１にそれぞれ密着力、摩擦抵抗が作用するようになり、フレーム１００を多様な多角形状をもつ組立体に連結することが可能になる。
【００４１】
さらに、上記第１、第２密着ブロック４１０，４３０は、固定ブラケット１３０や突起１３１に対応するように、少なくとも一方の面に凹凸４２１が一体で形成されていれば、その結合力、摩擦力をさらに増加させることができる。
【００４２】
そして、上記フレーム１００は、密着部材５００の収容空間１７０に少なくとも一つ以上の支持ジョー１７１（図４）が一体で突き出して密着部材５００を支持する場合、密着部材５００が幅方向に動くことを防止することになる。
【００４３】
加えて、上記フレーム１００では、収容空間１７０の外側にカバー部材８００が密着して収容空間１７０の開口溝である隙間を埋めるので、外側に美麗な外観を形成する。
【００４４】
この場合、上記カバー部材８００は、所望の色であってもよく、装着時に外部に露出してフレーム１００と同一平面を形成する支持面８１０と、少なくとも一つ以上の担持ジョー８３０とを具備して離脱が防止され、外側に外観を形成する。
【００４５】
そして、上記第１密着ブロック４１０が、片側又は内部に磁石４５１（図９）が一体で具備され、壁面に固定される金属材の固定ブロック９５０に吸着されて密着したり、金属材で構成された第１密着ブロック４１０が、壁Ｗ（図３）に複数のねじであるピン９５１で固定され磁石４１５を持つ固定ブロック９５０に吸着されて密着したりすることで、簡単な構成で組立体Ａを壁Ｗに容易に設置できる。
【００４６】
一方、図１１の通り、本実施形態のフレーム１００は、磁石４５１，４１５による接着力や、固定ブロック９５０である突起による支持力を通じて、アルミニウム部材で構成されたフレーム１００が壁Ｗに容易に支持される。
【００４７】
つまり、ファブリック固定部１１０を持つアルミニウム製フレーム１００が、一定長に切断され、直線状または傾斜状に連結されて設置されて相互に繋がる場合、ファブリック固定部１１０に密着部材５００を通じて布やフィルムなどからなるファブリック３００が緊張状態で組み付けられることで、広告用フレーム組立体Ａの形成が可能である。
【００４８】
この場合、上記フレーム１００に結合される第１、第２密着ブロック４１０，４３０と、壁Ｗの付着物に結合される固定ブロック９５０との間には、磁力による吸着力が発生し、互いに緊密に密着することにより、広告用フレーム組立体Ａに図１１における水平方向に対して抵抗力が発生する。上記第１、第２密着ブロック４１０，４３０の一部に突出部（図１１（ｂ）（ｃ））を形成し、凹部７３０（図１１（ｂ）（ｃ））を持つ固定ブロック９５０に付着させたり、固定ブロック９５０の一部に突出部７１０（図１２（ｄ））を形成し、第１密着ブロック４１０の凹部７３０に付着させたりすることで、図１１における垂直方向の支持力が発生して、広告用フレーム組立体Ａを付着物の壁面などに容易に装着できるようになる。
【００４９】
図１２には、壁に対してねじ止めされるタイプの広告用フレーム組立体Ａ（スクリーン設置装置）が示されており、フレームアセンブリの技術が提示されている。その構成は、図１２の通り、額縁や壁掛け型広告板やスタンド型広告ブロックなどに適用するように押し出しによって一定の長さで製作された後に切断される複数のフレーム１００と、上記のフレーム１００に装着されて繊維やフィルムなどで構成されるファブリック３００を抜け止め・固定する密着部材２００（規制体）とを備えて組み立てられる構造となっている。
【００５０】
また、上記フレーム１００を、額縁などに対応する一定長に切断した後、アングル１６５（接続ブロック）を通じて組み立てると、四角形や多様な多角形状を持つ額縁状にフレーム１００を連結することが可能になる。
【００５１】
そして、上記フレーム１００の厚み方向両側（図１２の左右方向）にファブリック固定部１１０が形成される場合、ファブリック３００がフレームの両側に装着され、広告用フレーム組立体Ａの広告用看板などへの適用時に広告を両側で表示できる。
【００５２】
上記のようなフレーム１００は、アングル１６５にねじ込まれるねじであるピンによって、アングル１６５の両片がフレーム１００に固定され、これにより、隣り合うフレーム１００が一定の角度で固定される。
【００５３】
上記で説明した各広告用フレーム組立体Ａは、面接触によりフレームを繋ぐ構成で、フレームの損傷を防止しながら堅牢な結合を可能とし、ファブリック３００の端部が収容されて外部に露出する開口溝をカバーリングして外側に美麗を形成するようにし、照明の使用、不使用に関わらず鮮明な画像の提供を可能にし、フレーム１００間の結合力を高めて強固な結合を可能にし、フレーム１００の壁面固定作業が容易に行われるようにし、様々な形状を持つフレーム１００に適用するようにするファブリック広告用フレーム組立体Ａ及びその装着方法を提供する。
【符号の説明】
【００５４】
１００…フレーム、１１０…ファブリック固定装置、１３０…固定ブラケット、３００…ファブリック、５００…密着部材、６００…照明プレート、８００…カバー部材。
【図１】
0003226256.tif 000003
【図２】
0003226256.tif 000004
【図３】
0003226256.tif 000005
【図４】
0003226256.tif 000006
【図５】
0003226256.tif 000007
【図６】
0003226256.tif 000008
【図７】
0003226256.tif 000009
【図８】
0003226256.tif 000010
【図９】
0003226256.tif 000011
【図１０】
0003226256.tif 000012
【図１１】
0003226256.tif 000013
【図１２】
0003226256.tif 000014